(57)【要約】【課題】容易に体調レベルを判定することができる体調不良判定装置、方法、及びプログラムを提供する。【解決手段】体調不良判定装置１０は、ユーザーから排出されるケトン体を測定した測定ケトン体濃度を取得し、取得された前記測定ケトン体濃度に基づいて、前記ユーザーの体調に関する体調レベルを判定し、判定結果を出力する。【選択図】図１
2015141457.tif 000002
【特許請求の範囲】
【請求項１】
ユーザーから排出されるケトン体を測定した測定ケトン体濃度を取得するケトン体濃度取得手段と、
前記ケトン体濃度取得手段により取得された前記測定ケトン体濃度に基づいて、前記ユーザーの体調に関する体調レベルを判定する判定手段と、
前記判定手段による判定結果を出力する出力手段と、
を備えた体調不良判定装置。
【請求項２】
前記判定手段は、前記測定ケトン体濃度と予め定めた少なくとも一つの閾値との比較結果又は過去に測定した前記測定ケトン体濃度を含む複数の測定ケトン体濃度に基づいて、前記体調レベルとして前記ユーザーの体調不良に関する体調不良レベルを判定する
請求項１記載の体調不良判定装置。
【請求項３】
前記閾値は、性別、年令、体格、及び体組成の少なくとも一つを含む前記ユーザーの属性毎に設けられ、前記判定手段は、前記ユーザーの属性に応じて前記体調不良レベルを判定する
請求項２記載の体調不良判定装置。
【請求項４】
前記判定手段は、前記測定ケトン体濃度と予め定めた少なくとも一つの閾値との比較結果又は過去に測定した前記測定ケトン体濃度を含む複数の測定ケトン体濃度に基づいて、前記体調レベルとして前記ユーザーのダイエットに関するダイエットレベルを判定する
請求項１記載の体調不良判定装置。
【請求項５】
前記判定手段は、前記測定ケトン体濃度と予め定めた少なくとも一つの閾値との比較結果又は前回測定した前記測定ケトン体濃度と今回測定した前記測定ケトン体濃度との差分又は比に基づいて、前記ダイエットレベルを判定する
請求項４記載の体調不良判定装置。
【請求項６】
前記判定手段は、前回測定した前記測定ケトン体濃度と今回測定した前記測定ケトン体濃度との差分又は比と、前回の測定から今回の測定までの経過時間と、に基づいて、前記ダイエットレベルを判定する
請求項５記載の体調不良判定装置。
【請求項７】
前記判定手段は、食事前に測定した前記測定ケトン体濃度と、食事後に測定した前記測定ケトン体濃度と、の比較結果に基づいて、前記ダイエットレベルを判定する
請求項４記載の体調不良判定装置。
【請求項８】
前記判定手段は、前記複数の測定ケトン体濃度の変動を表す変動曲線と、ダイエットによるリバウンドが発生した場合の前記測定ケトン体濃度の変動を表す予め定めたリバウンド曲線と、の比較結果に基づいて、前記ダイエットレベルとして前記リバウンドの有無を判定する
請求項４記載の体調不良判定装置。
【請求項９】
前記判定手段は、前記ユーザーについて測定した前記複数の測定ケトン体濃度を表す式と、正常にダイエットを行った被験者について前記ケトン体濃度を測定したケトン体濃度が表す式と、の比較結果に基づいて、前記ダイエットレベルを判定する
請求項４記載の体調不良判定装置。
【請求項１０】
前記ユーザーから排出されたケトン体を測定する測定手段
を備えた請求項１〜９の何れか１項に記載の体調不良判定装置。
【請求項１１】
前記ユーザーから排出されたケトン体は、前記ユーザーから排出された呼気に含まれるアセトンである
請求項１〜１０の何れか１項に記載の体調不良判定装置。
【請求項１２】
ユーザーから排出されるケトン体を測定した測定ケトン体濃度を取得し、
取得された前記測定ケトン体濃度に基づいて、前記ユーザーの体調に関する体調レベルを判定し、
判定結果を出力する
体調不良判定方法。
【請求項１３】
コンピュータに、
ユーザーから排出されるケトン体を測定した測定ケトン体濃度を取得し、
取得された前記測定ケトン体濃度に基づいて、前記ユーザーの体調に関する体調レベルを判定し、
判定結果を出力する
処理を実行させるための体調判定プログラム。
【発明の詳細な説明】
【技術分野】
【０００１】
本発明は、体調不良判定装置、方法、及びプログラムに関する。
【背景技術】
【０００２】
ダイエットする際に絶食や無理な食事制限を続けると、健康を損なう場合も少なくない。従来から、個人の栄養状態を把握して、ダイエットに関するアドバイスを提供する技術が提案されている。
【０００３】
例えば特許文献１には、ユーザーの食事内容の入力に基づいて、ダイエットを無理なく行わせるための栄養情報を提供する技術が提案されている。
【０００４】
また、特許文献２には、呼気中のアセトン及び水素ガス量を測定することにより、ダイエットにおける肥満改善や腸内環境の正常化につながる生活習慣の改善点を判断することができる技術が提案されている。
【先行技術文献】
【特許文献】
【０００５】
【特許文献１】特開２００９−１７５９６３号公報
【特許文献２】特開２００８−２９５９２１号公報
【発明の概要】
【発明が解決しようとする課題】
【０００６】
しかしながら、特許文献１記載の技術では、食事内容の入力が面倒であり、簡単に結果を得ることができない。また、特許文献１記載の技術は、体重や体脂肪率を入力する機能を備えているものの、急激な体重減少に伴う体調不良に関して注意喚起する機能は設けられていない。
【０００７】
また、特許文献２に記載された技術では、食事を抜く等の無理なダイエットを防止するための機能が設けられていないため、呼気中のアセトン等の測定時に危険な状況にあるか否かについて判断することはできない。従って、例えば幼児の栄養不良や急な発熱時のケトン尿症予防として特許文献２記載の技術を用いることはできない。
【０００８】
本発明は、容易に体調レベルを判定することができる体調不良判定装置、方法、及びプログラムを提供することを目的とする。
【課題を解決するための手段】
【０００９】
上記課題を解決するため、請求項１記載の発明の体調不良判定装置は、ユーザーから排出されるケトン体を測定した測定ケトン体濃度を取得するケトン体濃度取得手段と、前記ケトン体濃度取得手段により取得された前記測定ケトン体濃度に基づいて、前記ユーザーの体調に関する体調レベルを判定する判定手段と、前記判定手段による判定結果を出力する出力手段と、を備える。
【００１０】
なお、請求項２に記載したように、前記判定手段は、前記測定ケトン体濃度と予め定めた少なくとも一つの閾値との比較結果又は過去に測定した前記測定ケトン体濃度を含む複数の測定ケトン体濃度に基づいて、前記体調レベルとして前記ユーザーの体調不良に関する体調不良レベルを判定するようにしてもよい。
【００１１】
また、請求項３に記載したように、前記閾値は、性別、年令、体格、及び体組成の少なくとも一つを含む前記ユーザーの属性毎に設けられ、前記判定手段は、前記ユーザーの属性に応じて前記体調不良レベルを判定するようにしてもよい。
【００１２】
また、請求項４に記載したように、前記判定手段は、前記測定ケトン体濃度と予め定めた少なくとも一つの閾値との比較結果又は過去に測定した前記測定ケトン体濃度を含む複数の測定ケトン体濃度に基づいて、前記体調レベルとして前記ユーザーのダイエットに関するダイエットレベルを判定するようにしてもよい。
【００１３】
また、請求項５に記載したように、前記判定手段は、前記測定ケトン体濃度と予め定めた少なくとも一つの閾値との比較結果又は前回測定した前記測定ケトン体濃度と今回測定した前記測定ケトン体濃度との差分又は比に基づいて、前記ダイエットレベルを判定するようにしてもよい。
【００１４】
また、請求項６に記載したように、前記判定手段は、前回測定した前記測定ケトン体濃度と今回測定した前記測定ケトン体濃度との差分又は比と、前回の測定から今回の測定までの経過時間と、に基づいて、前記ダイエットレベルを判定するようにしてもよい。
【００１５】
また、請求項７に記載したように、前記判定手段は、食事前に測定した前記測定ケトン体濃度と、食事後に測定した前記測定ケトン体濃度と、の比較結果に基づいて、前記ダイエットレベルを判定するようにしてもよい。
【００１６】
また、請求項８に記載したように、前記判定手段は、前記複数の測定ケトン体濃度の変動を表す変動曲線と、ダイエットによるリバウンドが発生した場合の前記測定ケトン体濃度の変動を表す予め定めたリバウンド曲線と、の比較結果に基づいて、前記ダイエットレベルとして前記リバウンドの有無を判定するようにしてもよい。
【００１７】
また、請求項９に記載したように、前記判定手段は、前記ユーザーについて測定した前記複数の測定ケトン体濃度を表す式と、正常にダイエットを行った被験者について前記ケトン体濃度を測定したケトン体濃度が表す式と、の比較結果に基づいて、前記ダイエットレベルを判定するようにしてもよい。
【００１８】
また、請求項１０に記載したように、前記ユーザーから排出されたケトン体を測定する測定手段を備えた構成としてもよい。
【００１９】
また、請求項１１に記載したように、前記ユーザーから排出されたケトン体は、前記ユーザーから排出された呼気に含まれるアセトンであることが好ましい。
【００２０】
請求項１２記載の発明の体調不良判定方法は、ユーザーから排出されるケトン体を測定した測定ケトン体濃度を取得し、取得された前記測定ケトン体濃度に基づいて、前記ユーザーの体調に関する体調レベルを判定し、判定結果を出力する。
【００２１】
請求項１３記載の発明の体調不良判定プログラムは、コンピュータに、ユーザーから排出されるケトン体を測定した測定ケトン体濃度を取得し、取得された前記測定ケトン体濃度に基づいて、前記ユーザーの体調に関する体調レベルを判定し、判定結果を出力する処理を実行させるための体調判定プログラムである。
【発明の効果】
【００２２】
本発明によれば、容易に体調レベルを判定することができる、という効果を有する。
【図面の簡単な説明】
【００２３】
【図１】体調不良判定装置の外観図である。
【図２】体調不良判定装置のブロック図である。
【図３】体調不良判定プログラムによる処理のフローチャートである。
【図４】体調不良レベル判定基準の一例を示す図である。
【図５】ダイエットレベル判定基準の一例を示す図である。
【図６】食後にアセトン濃度が低下する場合のアセトン濃度の変動曲線の一例を示す図である。
【図７】食事を摂らず、アセトン濃度の低下が見られない場合のアセトン濃度の変動曲線の一例を示す図である。
【図８】リバウンドによりアセトン濃度が低下する場合のアセトン濃度の変動曲線の一例を示す図である。
【図９】健康的にダイエットしている人のアセトン濃度の傾きについて説明するための図である。
【図１０】測定機器とパーソナルコンピュータを接続する形態のブロック図である。
【発明を実施するための形態】
【００２４】
以下、本発明の実施形態について説明する。
【００２５】
図１は、本実施形態に係る体調不良判定装置１０の外観図である。図１に示すように、体調不良判定装置１０は、測定部１２、表示部１４、及び操作部１６を備えている。本実施形態に係る体調不良判定装置１０は、一例として持ち運びに便利な携帯型の装置である。
【００２６】
測定部１２は、ユーザーから排出されるケトン体の濃度（以下、ケトン体濃度という）を測定する。ここで、ケトン体とは、アセト酢酸、３−ヒドロキシ酪酸（β−ヒドロキシ酪酸、アセトンの総称であり、これらのうちの少なくとも一つを表す。
【００２７】
本実施形態では、測定部１２が、一例としてユーザーの呼気中のアセトンを検出するアセトン検出センサを備えた構成の場合について説明する。ユーザーは、吹き込み口１８に呼気を吹き込むことにより、呼気中のアセトン濃度を測定することができる。なお、吹き込み口１８は、呼気を収集しやすくするために、口で咥えることが可能なマウスピース型の形状としてもよいし、意識不明の状態でも呼気を収集することが可能なマスク型の形状としてもよい。
【００２８】
表示部１４は、例えば液晶パネル等で構成される。表示部１４には、例えば各種設定画面、測定部１２で測定されたアセトン濃度の測定結果、及び測定されたアセトン濃度に基づくアドバイス情報等の各種画面が表示される。また、表示部１４をタッチパネルの機能を備えた構成とし、画面に直接タッチすることで操作が可能な構成としてもよい。
【００２９】
操作部１６は、複数の操作ボタンを含んで構成されており、図１では一例として３個の操作ボタン１６Ａ〜１６Ｃを備えた場合を示した。
【００３０】
操作ボタン１６Ａは、一例として体調不良判定装置１０の電源のオンオフ及び各種画面において決定の操作を行うためのボタンとして機能する。
【００３１】
操作ボタン１６Ｂは、一例として各種画面において情報を入力するためのボタンとして機能する。
【００３２】
操作ボタン１６Ｃは、一例として過去の測定結果等を読み出すことを指示するためのボタンとして機能する。
【００３３】
図２には、体調不良判定装置１０のブロック図を示した。図２に示すように、体調不良判定装置１０は、コントローラ２０を備えている。コントローラ２０は、ＣＰＵ（Ｃｅｎｔｒａｌ  Ｐｒｏｃｅｓｓｉｎｇ  Ｕｎｉｔ）２０Ａ、ＲＯＭ（Ｒｅａｄ  Ｏｎｌｙ  Ｍｅｍｏｒｙ）２０Ｂ、ＲＡＭ（Ｒａｎｄｏｍ  Ａｃｃｅｓｓ  Ｍｅｍｏｒｙ）２０Ｃ、不揮発性メモリ２０Ｄ、及び入出力インターフェース（Ｉ／Ｏ）２０Ｅがバス２０Ｆを介して各々接続された構成となっている。この場合、後述する体調不良判定処理をコントローラ２０のＣＰＵ２０Ａに実行させる体調不良判定プログラムを、例えば不揮発性メモリ２０Ｄに書き込んでおき、これをＣＰＵ２０Ａが読み込んで実行する。なお、体調不良判定プログラムは、ＣＤ−ＲＯＭ、メモリーカード等の記録媒体により提供するようにしてもよく、図示しないサーバからダウンロードするようにしてもよい。
【００３４】
Ｉ／Ｏ２０Ｅには、測定部１２、表示部１４、操作部１６、及びタイマ２２が接続されている。タイマ２２は、現在時刻を取得する機能及び設定された時間を計時する計時機能を有する。
【００３５】
次に、本実施形態の作用として、コントローラ２０のＣＰＵ２０Ａにおいて実行される体調不良判定プログラムによる処理について、図３に示すフローチャートを参照して説明する。なお、図３に示す処理は、ユーザーが体調不良判定装置１０の操作部１６を操作して、体調不良判定プログラムの実行を指示した場合に実行される。
【００３６】
まず、ステップＳ１００では、アセトン濃度の測定を行う。具体的には、まず、予め定めた時間（例えば１０秒）の経過後にアセトン濃度の測定を開始する旨のメッセージを表示部１４に表示すると共に、タイマ２２に対して予め定めた時間を計時するよう指示する。
【００３７】
そして、予め定めた時間が経過したことがタイマ２２から通知された場合には、吹き込み口１８から呼気を吹き込むよう指示する吹き込み開始メッセージを表示部１４に表示すると共に、測定部１２に対してアセトン濃度の測定を開始するよう指示する。ユーザーは、吹き込み開始メッセージが表示部１４に表示されると、呼気を吹き込み口１８に対して吹き込む。
【００３８】
測定部１２は、吹き込み口１８に吹き込まれた呼気のアセトン濃度を測定してコントローラ２０に出力する。また、測定したアセトン濃度は、タイマ２２から取得した現在時刻と共に不揮発性メモリ２０Ｄに記憶する。
【００３９】
ステップＳ１０２では、ステップＳ１００で測定したアセトン濃度に基づいて、体調不良レベルを判定する。脂質代謝の副産物であるアセトンのアセトン濃度は脂肪の燃焼量に相当すると考えられ、体内に糖質エネルギーが余っている場合にはアセトン濃度は低くなり、体内に糖質エネルギーが足りなくなった場合にはアセトン濃度は高くなる。また、栄養不良や発熱等によって体調不良となった場合、低血糖状態となってアセトン濃度が高くなる場合がある。例えば幼児の場合、栄養不良や急な発熱等により低血糖状態となってケトン尿症となる虞もある。
【００４０】
そこで、本実施形態では、例えば図４に示す体調不良レベル判定基準３０に基づいて、現在の体調不良レベルを判定する。なお、図４に示す体調不良レベル判定基準３０は、例えば予め不揮発性メモリ２０Ｄに記憶しておく。図４の例では、アセトン濃度の濃度範囲を４段階に分けており、測定アセトン濃度がａ未満であれば「安全」、ａ以上で且つｂ未満であれば「注意」、ｂ以上で且つｃ未満であれば「警戒」、ｃ以上であれば「危険」と判定する。
【００４１】
なお、図４の例では、アセトン濃度の濃度範囲を４段階に分けているが、濃度範囲の分け方はこれに限らず、２段階、３段階に分けても良く、５段階以上に分けてもよい。また、性別、年令、体格、及び体組成の少なくとも一つを含む個人の属性毎に体調不良レベル判定基準を設けるようにしてもよい。
【００４２】
ステップＳ１０４では、ステップＳ１０２で判定した体調不良レベルを表示部１４に表示する。なお、体調不良レベルを光、振動、及びアラート音の少なくとも一つを用いて報知するようにしてもよい。
【００４３】
このように、ユーザーは、呼気中のアセトン濃度を測定するだけで体調不良レベルを容易に知ることができる。このため、例えば家庭内においては幼児の栄養不良や発熱等による体調不良を早期に発見することができる。また、救急医療現場においては、血液や尿等を採取せずに幼児のケトン尿症の発生を判定することができ、救急医療の効率化を図ることができると共に、患者の負担を軽減することができる。
【００４４】
ステップＳ１０６では、不揮発性メモリ２０Ｄに、過去のアセトン濃度の測定結果が記憶されているか否かを判断し、記憶されていればステップＳ１０８へ移行し、記憶されていなければ本ルーチンを終了する。
【００４５】
ステップＳ１０８では、過去のアセトン濃度及びステップＳ１００で測定した現在のアセトン濃度に基づいて、ダイエットレベルを判定する。以下、ダイエットレベルの判定方法について説明する。
【００４６】
第１のダイエットレベルの判定方法では、例えば図５に示すようなダイエットレベル判定基準４０に基づいてダイエットレベルを判定する。
【００４７】
図５の例では、過去に測定したアセトン濃度のうち、今回測定したアセトン濃度と、前回測定したアセトン濃度との差分Δと、前回測定時から今回測定時までの経過時間とに応じて、ダイエットレベルが設定されている。例えば、差分Δが１０００未満の場合、前回測定時から今回測定時までの経過時間が１日以内であればダイエットレベルが「ａ１」と判定され、前回測定時から今回測定時までの経過時間が１４〜３１日以内であればダイエットレベルが「ｅ１」と判定される。このように、差分Δが同じ値であっても、前回測定時から今回測定時までの経過時間に応じてダイエットレベルが異なる。
【００４８】
ダイエットレベルは、例えば数値で表され、数値が高くなるに従ってダイエットが進んでいることを表す。従って、ダイエットレベルが高すぎると無理なダイエットをしていると判断することができる。なお、図５のダイエットレベル判定基準における各ダイエットレベルは、例えば多くの被験者に対する実験結果等から定められる。
【００４９】
上記では、過去に測定したアセトン濃度のうち、今回測定したアセトン濃度と前回測定したアセトン濃度との差分Δと、前回測定時から今回測定時までの経過時間とに応じたダイエットレベルをダイエットレベル判定基準４０から求めることによりダイエットレベルを判定しているが、例えば、差分Δのみに基づいてダイエットレベルを判定してもよい。また、今回測定したアセトン濃度と前回測定したアセトン濃度との差分Δではなく、今回測定したアセトン濃度と前回測定したアセトン濃度との比を用いてダイエットレベルを判定してもよい。
【００５０】
なお、本実施形態では、ステップＳ１０２において、ステップＳ１００で測定した現在のアセトン濃度のみに基づいて体調不良レベルを判定しているが、上記の第１のダイエットレベルの判定方法と同様の方法により体調不良レベルを判定するようにしてもよい。具体的には、図５に示したダイエットレベル判定基準４０と同様の体調不良レベル判定基準を用意しておき、過去のアセトン濃度及びステップＳ１００で測定した現在のアセトン濃度と、前記体調不良レベル判定基準と、に基づいて体調不良レベルを判定すればよい。
【００５１】
また、現在のアセトン濃度のみに基づいてダイエットレベルを判定するようにしてもよい。具体的には、図４に示す体調不良レベル判定基準３０と同様のダイエットレベル判定基準を用意しておき、現在のアセトン濃度と前記ダイエットレベル判定基準とに基づいてダイエットレベルを判定すればよい。
【００５２】
第２のダイエットレベル判定方法は、同じ日内で食事時間の前後を含むアセトン濃度の測定結果が不揮発性メモリ２０Ｄに記憶されている場合に、食事前に測定したアセトン濃度と、食事後のアセトン濃度との比較結果に基づいて、ダイエットレベルを判定する。
【００５３】
図６には、食事時間の前後におけるアセトン濃度の変動曲線として正常な変動曲線の一例を示した。図６に示すように、昼食の時間をｔ２とｔ３の間の時刻とした場合において、昼食をしっかりと摂った場合は、その後アセトン濃度が徐々に低下し、体内に糖質エネルギーが足りなくなるに従ってアセトン濃度が高くなる。
【００５４】
しかしながら、昼食を摂らずに無理なダイエットを行った場合、図７に示すように、昼食時間を過ぎてもアセトン濃度が低下せず、上昇を続ける。
【００５５】
そこで、例えば食事前のアセトン濃度Ａと食事後のアセトン濃度Ｂとの差分（Ａ−Ｂ）を求め、求めた差分が正の値の場合、すなわち、食事後のアセトン濃度Ｂが食事前のアセトン濃度Ａ未満であればダイエットレベルが正常と判断し、差分（Ａ−Ｂ）が負の値の場合、すなわち食事後のアセトン濃度が食事前のアセトン濃度以上の場合には、ダイエットレベルが異常と判断する。
【００５６】
なお、食事時間は、例えば朝食が７時、昼食が１２時、夕食が１９時等のように予め定めておいてもよいが、ユーザーに食事時間を入力させて不揮発性メモリ２０Ｄに記憶しておき、この食事時間の前後のアセトン濃度の比較によりダイエットレベルを判定してもよい。
【００５７】
また、上記では、食事前のアセトン濃度Ａと食事後のアセトン濃度Ｂとの差分（Ａ−Ｂ）に基づいてダイエットレベルが正常か異常かを判定しているが、食事前のアセトン濃度Ａと食事後のアセトン濃度Ｂとの比（Ｂ／Ａ）に基づいてダイエットレベルが正常か異常かを判定してもよい。この場合、比（Ｂ／Ａ）が１未満の場合、すなわち食事後のアセトン濃度が食事前のアセトン濃度未満の場合にはダイエットレベルが正常と判断し、比（Ｂ／Ａ）が１以上の場合、すなわち食事後のアセトン濃度が食事前のアセトン濃度以上の場合にはダイエットレベルが異常と判断すればよい。
【００５８】
第３のダイエットレベル判定方法は、複数の日におけるアセトン濃度の測定結果が不揮発性メモリ２０Ｄに記憶されている場合に、ダイエットレベルとして無理なダイエットの有無を判定する。なお、同じ日内でアセトン濃度を複数回測定している場合には、例えば同じ日内に測定した全アセトン濃度の平均値を、その日のアセトン濃度とする。
【００５９】
図８には、無理なダイエットによりリバウンドが発生した場合のアセトン濃度の変動曲線の一例を示した。図８に示すように、ｄ１日目からｄ４日目にかけてアセトン濃度が急激に上昇しており、無理なダイエットが行われていると考えられる。そこで、予め定めた期間（例えば４日間）に測定したアセトン濃度が、急激に上昇しているか否かを判断することにより、無理なダイエットが行われているか否かを判断する。
【００６０】
なお、急激に上昇しているか否かの判断は、急激に上昇しているか否かを判断する期間の開始日Ｄ１のアセトン濃度をＡ１、終了日Ｄ２のアセトン濃度をＡ２とした場合、（Ａ２−Ａ１）／（Ｄ２−Ｄ１）が予め定めた第１の閾値以上の場合に、アセトン濃度が急激に上昇していると判断する。すなわち、急激に上昇しているか否かを判断する期間の開始日のアセトン濃度と終了日のアセトン濃度とを結ぶ線の傾きが予め定めた第１の閾値以上の場合に急激に上昇していると判断する。なお、急激に上昇しているか否かを判断する期間の開始日Ｄ１のアセトン濃度Ａ１、終了日Ｄ２のアセトン濃度Ａ２との差分（Ａ２−Ａ１）が予め定めた第２の閾値以上の場合に急激に上昇していると判断するようにしてもよいし、比（Ａ２／Ａ１）が予め定めた第３の閾値以上の場合に急激に上昇していると判断するようにしてもよい。
【００６１】
第４のダイエットレベル判定方法は、複数の日におけるアセトン濃度の測定結果が不揮発性メモリ２０Ｄに記憶されている場合に、複数の日のアセトン濃度の測定結果に基づいて、リバウンドの有無をダイエットレベルとして判定する。
【００６２】
図８に示す例では、ｄ１日目からｄ４日目にかけてアセトン濃度が高い状態、すなわち体脂肪の燃焼量が多い状態が続いており、この期間はダイエットをすることによりアセトン濃度が高い状態が続いていると考えられる。そして、ｄ４日目からｄ５日目にかけてアセトン濃度が急激に減少した後、アセトン濃度が徐々に低下しており、アセトン濃度が低い状態が維持されている。これは、リバウンドにより食事を摂り過ぎていたり、運動量が少ないためにアセトン濃度の低い状態が維持されていると考えられる。すなわち、リバウンドが発生する場合のアセトン濃度の変動曲線は、アセトン濃度が高い状態が一定期間続いた後に急激に下降し、その後アセトン濃度の低い状態が一定期間維持された曲線となる。
【００６３】
そこで、予め定めた期間（例えば１２日間）に測定したアセトン濃度の変動曲線（以下、測定曲線という）が、アセトン濃度が高い状態が一定期間続いた後に急激に下降し、その後アセトン濃度の低い状態が一定期間維持された曲線（以下、リバウンド曲線という）となっているか否かを判断することにより、リバウンドが発生しているか否かを判断する。
【００６４】
なお、急激に下降しているか否かの判断は、急激に下降しているか否かを判断する期間の開始日Ｄ１のアセトン濃度をＡ１、終了日Ｄ２のアセトン濃度をＡ２とした場合、（Ａ２−Ａ１）／（Ｄ２−Ｄ１）が予め定めた第４の閾値未満の場合を急激に下降していると判断する。すなわち、急激に下降しているか否かを判断する期間の開始日のアセトン濃度と終了日のアセトン濃度とを結ぶ線の傾きが予め定めた第４の閾値未満の場合に急激に下降していると判断する。なお、急激に下降しているか否かを判断する期間の開始日Ｄ１のアセトン濃度Ａ１、終了日Ｄ２のアセトン濃度Ａ２との差分（Ａ２−Ａ１）が予め定めた第５の閾値未満の場合に急激に下降していると判断するようにしてもよいし、比（Ａ２／Ａ１）が予め定めた第６の閾値未満の場合に急激に下降していると判断するようにしてもよい。
【００６５】
また、例えば測定曲線とリバウンド曲線との類似度を公知の手法により算出し、算出した類似度が予め定めた第７の閾値以上の場合にリバウンドが発生していると判断するようにしてもよい。
【００６６】
第５の評価方法は、健康的に、すなわち正常にダイエットを行った多数の被験者のアセトン濃度の測定結果に基づいて、無理なダイエットの有無を判定する。図９には、健康的にダイエットを行った多数の被験者のダイエット実行期間におけるアセトン濃度と経過時間との関係を示した。
【００６７】
図９では、健康的なダイエットを行った多数の被験者について測定したアセトン濃度は「○」で表しており、これらを例えば最小自乗法等により一次式で表すと基準直線５０となる。また、無理なダイエットをした人のアセトン濃度は「▲」で表しており、これらを例えば最小自乗法等により一次式で表すと直線５２となる。
【００６８】
図９に示すように、直線５２の傾きは基準直線５０の傾きより大きい。すなわち、無理なダイエットを行った人は食事を適切に摂らないため、食事を適切に摂って健康的にダイエットを行った人と比較するとアセトン濃度の上昇率が高い。
【００６９】
そこで、例えば複数回測定したアセトン濃度から最小自乗法等により一次式を算出し、算出した一次式が表す直線の傾きが基準直線５０の傾きよりも大きい場合に、無理にダイエットしているものと判定してもよい。
【００７０】
なお、上記ではアセトン濃度と経過時間との関係を一次式で表したが、二次式で表してもよいし、三次以上の次数の多項式で表してもよく、より実測値に近い式を用いてもよい。また、アセトン濃度と経過時間との関係を式ではなくデータテーブルで表しても良い。また、健康的にダイエットを行った多数の被験者のアセトン濃度の測定値の平均値又は標準偏差を閾値として、測定したアセトン濃度が当該閾値を越える場合に無理にダイエットしているものと判定してもよい。
【００７１】
以上のように、第１〜第５の評価方法の少なくとも一つの評価方法に基づいてダイエットレベル及び体調不良レベルの少なくとも一つを判定し、判定結果を現在時刻と共に不揮発性メモリ２０Ｄに記憶する。
【００７２】
なお、本実施形態では、第１〜第５の評価方法について説明したが、評価方法はこれらに限られるものではない。
【００７３】
ステップＳ１１０では、ステップＳ１０８での判定結果、当該判定結果に対応するアドバイス情報を表示部１４に表示する。例えば、判定結果とアドバイス情報との対応関係を表すテーブルデータを不揮発性メモリ２０Ｄに記憶しておき、このテーブルデータから求めたアドバイス情報を表示部１４に表示する。例えば、無理なダイエットをしていると判定された場合には、例えば「ダイエットを頑張りすぎです。食事を適切に摂りましょう。」等の無理なダイエットをしないように促すメッセージを表示する。これにより、ユーザーは、無理なダイエットをすることなく適切にダイエットを実行することができる。なお、判定結果を光、振動、及びアラート音の少なくとも一つを用いて報知するようにしてもよい。
【００７４】
このように、アセトン濃度を測定するだけで無理なダイエットの有無を判定し、アドバイス情報を表示するので、ユーザーは無理なダイエットを行っているか否かを容易に知ることができ、体調不良について注意することができる。
【００７５】
なお、本実施形態では、体調不良判定装置１０が携帯型の専用装置の場合について説明したが、例えば図１０に示すように、パーソナルコンピュータ８０に、測定部１２を含む測定機器８２を有線又は無線により接続する構成としてもよい。この場合、パーソナルコンピュータ８０は、測定機器８２により測定されたアセトン濃度を取得して図３に示す処理を実行することにより、体調不良判定装置として機能する。
【００７６】
また、測定機器８２を接続する機器は、パーソナルコンピュータに限らず、携帯電話、スマートフォン、及びタブレット端末等の携帯端末でもよい。また、これらの携帯端末に測定部１２を内蔵した構成としてもよい。また、これらの携帯端末又は測定機器８２をサーバにネットワーク接続する構成としてもよい。この場合、サーバが体調不良判定装置として機能する。すなわち、携帯端末又は測定機器８２は、測定したアセトン濃度をサーバに送信し、サーバは、携帯端末又は測定機器８２から受信したアセトン濃度に基づいて図３に示す処理を実行し、結果を携帯端末又は測定機器８２に送信する。これにより、測定機器８２は、少なくともアセトン濃度を測定してサーバに送信する機能及びサーバから結果を受信して表示する機能を備えればよく、安価な構成とすることができる。
【００７７】
また、本実施形態では、測定部１２が、呼気中のアセトンを検出するアセトン検出センサを備えた構成の場合について説明したが、これに限らず、ユーザーの皮膚、尿、唾液、及び汗等から排出されたケトン体を検出するケトン体検出センサを備えた構成としてもよい。
【符号の説明】
【００７８】
１０   体調不良判定装置
１２   測定部
１４   表示部
１６   操作部
１８   吹き込み口
２０   コントローラ
８０   パーソナルコンピュータ
８２   測定機器
【図１】
2015141457.tif 000003
【図２】
2015141457.tif 000004
【図３】
2015141457.tif 000005
【図４】
2015141457.tif 000006
【図５】
2015141457.tif 000007
【図６】
2015141457.tif 000008
【図７】
2015141457.tif 000009
【図８】
2015141457.tif 000010
【図９】
2015141457.tif 000011
【図１０】
2015141457.tif 000012